(57)【要約】【課題】浸水など、降雨によって発生する事象が、どのような状況で発生し易いのかを調査することができる模擬降雨データ生成装置、生成方法およびプログラムを提供することである。【解決手段】実施形態の模擬降雨データ生成装置は、情報取得部と、降雨量算出部とを持つ。情報取得部は、降雨状況の特徴量を取得する。降雨量算出部は、情報取得部が取得した情報を用いて、複数地点における降雨量の時間経過を示す値を算出する。【選択図】図１
2014235121.tif 000002
【特許請求の範囲】
【請求項１】
降雨状況の特徴量を取得する情報取得部と、
前記情報取得部が取得した情報を用いて、複数地点における降雨量の時間経過を示す値を算出する降雨量算出部と、
を有する模擬降雨データ生成装置。
【請求項２】
模擬降雨データ生成装置における模擬降雨データの生成方法であって、
前記模擬降雨データ生成装置が、降雨状況の特徴量を取得する第１の過程と、
前記模擬降雨データ生成装置が、前記降雨状況の特徴量を用いて、複数地点における降雨量の時間経過を示す値を算出する第２の過程と、
を有する模擬降雨データの生成方法。
【請求項３】
コンピュータを、
降雨状況の特徴量を取得する情報取得部、
前記情報取得部が取得した情報を用いて、複数地点における降雨量の時間経過を示す値を算出する降雨量算出部
として機能させるためのプログラム。
【発明の詳細な説明】
【技術分野】
【０００１】
本発明の実施形態は、模擬降雨データ生成装置、生成方法およびプログラムに関する。
【背景技術】
【０００２】
現在、国土交通省や気象庁では、降雨レーダを整備し、そのレーダを利用した降雨状況の観測を行っている。これらのレーダ情報は、河川の水位予測、下水道への流入量予測等への利用や、日常生活においても天気予報における降雨の現況情報として提供される等、今や欠かせない情報の一つとなっている（例えば、特許文献１参照）。
【０００３】
また、近年、地球温暖化やヒートアイランド現象等の影響により、局所的な豪雨（ゲリラ豪雨）が多く発生しており、都市における浸水被害、河川の氾濫等多くの被害をもたらしており、国土交通省では、このような頻発するゲリラ豪雨への対策として、平成２１年度から全国にＸバンドＭＰ（Multi Parameter）レーダの整備を進めている状況である。なお、ＸバンドＭＰレーダとは、ドップラーレーダと二重偏波レーダとの機能を統合し、反射因子やドップラー速度、偏波パラメータから、雨滴の粒径分布や正確な降雨強度を推定することができるレータである。気象庁では、レーダー・ナウキャストによるレーダ雨量情報の配信や、降雨ナウキャストによる降水強度の予測情報の配信等も行っている。
【０００４】
このような状況の中、都市における流出解析、浸水解析等の解析を行い、都市における浸水状況の把握や、その対策に役立てることは非常に重要である。流出解析、浸水解析等を行うにあたっては、流出解析ソフトと呼ばれる市販のソフトウェアを使用することが多い。流出解析ソフトの代表例としてＩｎｆｏＷｏｒｋｓ、ＭＯＵＳＥ、ＸＰ−ＳＷＭＭ等が挙げられる。このような解析における入力データの一つとして、降雨データが必要であり、過去の実際の降雨イベントのデータをもとにこのような解析を行うことが多い。
【先行技術文献】
【特許文献】
【０００５】
【特許文献１】特開平１０−１７０６６０号公報
【発明の概要】
【発明が解決しようとする課題】
【０００６】
しかしながら、雨の降り方は、降雨イベントによりそれぞれ異なることから、例えば、ある地区における浸水がどのような状況で発生し易いのかといったことを調査する場合に、それは雨量によるものなのか、降雨時間によるものなのか等、といった原因を特定することが難しいという問題がある。
【０００７】
本発明が解決しようとする課題は、浸水など、降雨によって発生する事象が、どのような状況で発生し易いのかを調査することができる模擬降雨データ生成装置、生成方法およびプログラムを提供することである。
【課題を解決するための手段】
【０００８】
実施形態の模擬降雨データ生成装置は、情報取得部と、降雨量算出部とを持つ。情報取得部は、降雨状況の特徴量を取得する。降雨量算出部は、情報取得部が取得した情報を用いて、複数地点における降雨量の時間経過を示す値を算出する。
【図面の簡単な説明】
【０００９】
【図１】実施形態の模擬降雨データ生成装置１０の構成を示す概略ブロック図である。
【図２】同実施形態における模擬降雨データを作成する領域の例を示す図である。
【図３】同実施形態における降雨強度の時間変化の例を表すグラフである。
【図４】同実施形態における時間密度関数の例を示す図である。
【図５】同実施形態におけるメッシュ雨量算出部１５が算出する模擬降雨量分布の例を示す図である。
【図６】同実施形態におけるメッシュ雨量算出部１５が生成する模擬降雨量データのフォーマット例を示す図である。
【図７】同実施形態における模擬降雨データ生成装置１０の動作を説明するフローチャートである。
【図８】同実施形態における模擬降雨データの利用例を示す図である。
【発明を実施するための形態】
【００１０】
以下、実施形態の模擬降雨データ生成装置１０について、図面を参照して説明する。図１は、実施形態の模擬降雨データ生成装置１０の構成を示す概略ブロック図である。本実施形態における模擬降雨データ生成装置１０は、情報取得部１１、ステップ数算出部１２、時間総降雨量算出部１３、時間密度分布算出部１４、メッシュ雨量算出部１５を含んで構成される。なお、ステップ数算出部１２と、時間総降雨量算出部１３と、時間密度分布算出部１４と、メッシュ雨量算出部１５は、降雨量算出部１６を構成する。
【００１１】
情報取得部１１は、降雨状況の特徴量、模擬降雨データを作成する領域を示す情報、模擬降雨データを作成する時間間隔Ｔｉｎｔ（例えば、５分、１０分等）を取得する。なお、情報取得部１１は、キーボードなどの入力デバイスを用いて、ユーザが入力した情報を取得してもよいし、これらの情報を含む、ユーザに指定された電子ファイルを読み込むことで取得してもよい。また、本実施形態では、模擬降雨データを作成する領域を複数のメッシュに区切り、模擬降雨データを作成する領域を示す情報として、Ｘ方向とＹ方向各々のメッシュの数を用いる。
【００１２】
降雨状況の特徴量の具体例として、総降雨量Ｒ、降雨継続時間Ｔ、降雨量ピーク時刻Ｔｐ、始点メッシュ、終点メッシュ、Ｘ方向の標準偏差σＸ、Ｙ方向の標準偏差σＹ、Ｘ方向とＹ方向の相関係数ρを用いる場合を説明する。すなわち、情報取得部１１は、擬降雨データを作成する領域を示す情報、時間間隔Ｔｉｎｔに加えて、総降雨量Ｒ、降雨継続時間Ｔ、降雨量ピーク時刻Ｔｐ、始点メッシュ、終点メッシュ、Ｘ方向の標準偏差σＸ、Ｙ方向の標準偏差σＹ、Ｘ方向とＹ方向の相関係数ρを取得する。
【００１３】
総降雨量Ｒは、模擬降雨イベントにおいて発生する降雨の総量であり、単位は［ｍｍ］である。総降雨量Ｒは、メッシュ各々における模擬降雨イベントを通した降雨量［ｍｍ］の、全てのメッシュに関する平均値とも言える。降雨継続時間Ｔは、模擬降雨イベントにおける、降雨の開始から終了までの時間である。降雨量ピーク時刻Ｔｐは、模擬降雨イベントにおいて、降雨量がピークとなる時刻である。降雨量ピーク時刻Ｔｐは、降雨継続時間Ｔ内の時刻となる。
【００１４】
始点メッシュは、模擬降雨イベントの降雨開始時刻における、雨域の中心となるメッシュ（Ｘｓ、Ｙｓ）である。終点メッシュは、模擬降雨イベントの降雨終了時刻における、雨域の中心となるメッシュ（Ｘｅ、Ｙｅ）である。Ｘ方向の標準偏差σＸは、模擬降雨イベントにおける雨域のＸ方向（経度方向）の広がりを表す値であり、降雨量の確率密度関数のＸ方向の標準偏差である。Ｙ方向の標準偏差σＹは、模擬降雨イベントにおける雨域のＹ方向（緯度方向）の広がりを表す値であり、降雨量の確率密度関数のＹ方向の標準偏差である。相関係数ρは、模擬降雨イベントにおける雨域の広がりの方向性を調整するものであり、−１から１までの範囲の値で設定する。
【００１５】
これらの特徴量のうち、総降雨量Ｒ、降雨継続時間Ｔ、降雨量ピーク時刻Ｔｐは、降雨量を算出する領域全体の降雨量を表す時間総降雨量の時間経過を表す情報である。また、始点メッシュ（Ｘｓ、Ｙｓ）、終点メッシュ（Ｘｅ、Ｙｅ）は、降雨の移動方向を表す情報である。さらに、Ｘ方向の標準偏差σＸ、Ｙ方向の標準偏差σＹ、Ｘ方向とＹ方向の相関係数ρは、降雨域の広がりを表す情報である。
【００１６】
ステップ数算出部１２は、情報取得部１１が取得した降雨継続時間Ｔを、時間間隔Ｔｉｎｔで割ることで、模擬降雨データを作成する時間ステップ数ｌを算出する。時間総降雨量算出部１３は、情報取得部１１が取得した総降雨量Ｒ、降雨継続時間Ｔ、降雨量ピーク時刻Ｔｐを用いて、ステップ数算出部１２が算出した時間ステップ数ｌ分の時間総降雨量（単位は、［ｍｍ］）を算出する。各時間ステップにおける時間総降雨量の算出方法は、後述する。
【００１７】
時間密度分布算出部１４は、情報取得部１１が取得した始点メッシュ（Ｘｓ、Ｙｓ）、終点メッシュ（Ｘｅ、Ｙｅ）、Ｘ方向の標準偏差σＸ、Ｙ方向の標準偏差σＹ、相関係数ρを用いて、ステップ数算出部１２が算出した時間ステップ数ｌ分の時間密度関数を算出する。なお、時間密度関数は、各時間ステップにおける降雨量の確率密度関数である。時間密度分布算出部１４による時間確率密度関数の算出方法は、後述する。メッシュ雨量算出部１５は、該時間ステップにおける全メッシュの降雨量の平均が、時間総降雨量算出部１３が算出した時間総降雨量Ｒｉとなるように、時間密度分布算出部１４が算出した時間密度関数の各メッシュの値を用いて、該時間ステップにおける各メッシュの降雨量（単位は、［ｍｍ］）を算出し、模擬降雨量データとする。
【００１８】
図２は、模擬降雨データを作成する領域の例を示す図である。図２に示す例では、模擬降雨データを作成する領域は、Ｘ方向にｎ個、Ｙ方向にｍ個、すなわちｎ×ｍ個のメッシュに区切られている。個々のメッシュは、例えば、Ｘ方向に３個目、Ｙ方向に２個目のメッシュは、（３，２）というように、その右下の座標を用いて表す。前述したように、情報取得部１１は、模擬降雨データを作成する領域を示す情報として、Ｘ方向とＹ方向各々のメッシュの数、すなわち、図２の例では、ｎとｍとを取得する。
【００１９】
図３は、降雨強度の時間変化の例を表すグラフである。図３において、横軸は時間、縦軸は降雨強度［ｍｍ／ｈ］であり、時刻Ｔは、模擬降雨イベントの開始時刻を「０」としたときの、模擬降雨イベントの終了時刻である。時刻Ｔｐは、時間総降雨量が最大となる時刻である。以下に図３のグラフを参照して、時間総降雨量算出部１３による各時間ステップの時間総降雨量の算出方法を説明する。模擬降雨イベントの開始時刻は「０」であるので、模擬降雨イベントの終了時刻は、降雨継続時間Ｔとなる。降雨量ピーク時刻Ｔｐは、降雨強度が最大となる時刻である。
【００２０】
図３のグラフを積分すると総降雨量Ｒとなる。すなわち、図３のグラフの面積はＲなので、時刻Ｔｐにおける降雨強度をＩｔｐとすると、Ｒ＝Ｔ×Ｉｔｐ／２である。これを変形すると、Ｉｔｐ＝２Ｒ／Ｔである。また、ｉ番目の時間ステップＴｉにおける降雨強度をＩｉとすると、Ｔｉ＜Ｔｐのときは、Ｉｉ：Ｔｉ＝Ｉｔｐ：Ｔｐであり、Ｔｉ≧Ｔｐのときは、Ｉｉ：（Ｔ−Ｔｉ）＝Ｉｔｐ：（Ｔ−Ｔｐ）である。また、時間総降雨量Ｒｉ＝Ｉｉ×Ｔｉｎｔである。これらから得られる式（１）、（２）を用いて、時間総降雨量算出部１３は、各時間ステップＴｉにおける時間総降雨量Ｒｉを算出する。
【００２１】
【数１】
2014235121.tif 000003
【００２２】
図４は、時間密度関数の例を示す図である。図４において、横軸はＸ軸であり、縦軸はＹ軸である。また、メッシュｍｓは始点メッシュ、メッシュｍｅは終点メッシュである。始点メッシュｍｓから終点メッシュｍｅへのベクトルＤｒが、雨域の移動方向である。時間密度分布算出部１４は、始点メッシュｍｓと終点メッシュｍｅを結ぶ線分を、時間ステップ数ｌで等分し、各時間ステップにおける雨域の中心点ｍ１、ｍ２、・・・の座標（Ｘ１、Ｙ１）、（Ｘ２、Ｙ２）、・・・を算出する。時間密度分布算出部１４は、下記の式（３）を用いて、ｉ番目の時間ステップの時間密度関数を算出する。
【００２３】
【数２】
2014235121.tif 000004
【００２４】
なお、式（３）において、ｆ（Ｘｊ、Ｙｋ、ｉ）は、ｉ番目の時間ステップにおけるメッシュ（Ｘｊ、Ｙｋ）の密度を表す値である。σＸ、σＹ、ρは、それぞれ、情報取得部１１が取得する標準偏差σＸ、標準偏差σＹ、相関密度ρである。πは、円周率であり、ｅは、自然対数の底（ネイピア数ともいう）である。（Ｘｉ、Ｙｉ）は、ｉ番目の時間ステップにおける雨域の中心点の座標である。
【００２５】
図４では、ｉ番目の時間ステップにおける時間密度関数において密度が所定の値以上の領域を、破線Ｄｉで囲っている。なお、破線Ｄｓで囲っている領域は、模擬降雨イベントの開始時点での時間密度関数において密度が所定の値以上の領域である。また、破線Ｄｅで囲っている領域は、模擬降雨イベントの終了時点での時間密度関数において密度が所定の値以上の領域である。このように、各時間ステップにおける時間密度関数は、同一の時間密度関数を、雨域の中心点の移動に合わせて平行移動したものとなっている。
【００２６】
図５は、メッシュ雨量算出部１５が算出する模擬降雨量分布の例を示す図である。Ｘ軸、Ｙ軸、メッシュｍｓ、メッシュｍｅ、ベクトルＤｒ、雨域の中心点ｍ１、ｍ２、・・・は、図４と同様である。メッシュ雨量算出部１５は、時間総降雨量算出部１３が算出した各時間ステップｉの時間総降雨量Ｒｉに、時間密度分布算出部１４が算出した該時間ステップｉの各メッシュの密度ｆ（Ｘｊ、Ｙｋ、ｉ）とメッシュ数ｎ×ｍとを乗じることで、各時間ステップ、各メッシュにおける模擬降雨量ｒ（Ｘｊ、Ｙｋ、ｉ）を算出する。
【００２７】
図５において、破線Ｒｄｉで囲った領域は、ｉ番目の時間ステップにおける模擬降雨量の分布において降雨量が所定の値以上の領域である。なお、破線Ｒｄｓで囲っている領域は、模擬降雨イベントの開始時点での模擬降雨量の分布において模擬降雨量が所定の値以上の領域である。また、破線Ｒｄｅで囲っている領域は、模擬降雨イベントの終了時点での模擬降雨量の分布において模擬降雨量が所定の値以上の領域である。図４にて説明したように、時間密度関数は、同一の時間密度関数を、雨域の中心点の移動に合わせて平行移動したものとなっているが、図５に示すように、模擬降雨量の分布は、時間総降雨量Ｒｉの大小に応じて、領域の大きさが変化する。
【００２８】
図６は、メッシュ雨量算出部１５が生成する模擬降雨量データのフォーマット例を示す図である。図６に示す例では、模擬降雨量データは、時間ステップ毎の行と、メッシュ毎の列とを有するテーブルである。各セルは、該当する時間ステップおよびメッシュの模擬降雨量ｒを格納する。例えば、１列目、２行目のセルには、時間ステップｉ＝１におけるメッシュ（１、１）の模擬降雨量ｒ（１、１、１）の値が格納されている。
【００２９】
図７は、模擬降雨データ生成装置１０の動作を説明するフローチャートである。まず、情報取得部１１が、降雨状況の特徴量、時間間隔Ｔｉｎｔ、模擬降雨データを作成する領域を示す情報を取得する（Ｓ１）。次に、ステップ数算出部１２は、降雨継続時間Ｔおよび時間間隔Ｔｉｎｔより、必要な時間ステップ数を求める（Ｓ２）。次に、時間総降雨量算出部１３は、総降雨量Ｒ、降雨継続時間Ｔ、および降雨量ピーク時刻Ｔｐに基づく降雨量の時間推移から、各時間ステップにおける時間総降雨量Ｒｉを求める（Ｓ３）。
【００３０】
次に、各時間ステップについて、以下のステップＳ５からＳ７を繰り返す（Ｓ４）。ステップＳ５では、時間密度分布算出部１４が、始点メッシュ（Ｘｓ，Ｙｓ）および終点メッシュ（Ｘｅ，Ｙｅ）より、該時間ステップにおける雨域の中心（Ｘｉ，Ｙｉ）を求める。次のステップＳ６では、時間密度分布算出部１４が、ステップＳ５で求めた中心を用いて、該時間ステップにおける時間密度関数を算出する。次のステップＳ７では、メッシュ雨量算出部１５が、ステップＳ６で算出した時間密度関数と、ステップＳ３で算出した時間総降雨量とを用いて、各メッシュの模擬降雨量を算出する。
【００３１】
これらのステップＳ５からＳ７を全ての時間ステップについて繰り返すとステップＳ９に進む（Ｓ８）。ステップＳ９では、メッシュ雨量算出部１５が、ステップＳ７にて算出した模擬降雨量を時系列データとして纏めて、模擬降雨データを生成して出力し、処理を終了する。
【００３２】
図８は、模擬降雨データの利用例を示す図である。図８は、流出解析ソフトで利用する例を示す。都市における流出解析、浸水解析等の解析を行うにあたっては、流出解析ソフトと呼ばれる市販のソフトウェアをコンピュータが実行することで実現される流出解析装置２０を使用することが多い。流出解析装置２０は、地表面の地盤高や土地利用状況等を示す地表面データｄ１、管路における長さ、管径、勾配、管底高、敷設位置等、貯留設備の設置場所や貯留容量等、ポンプ場設備の設置場所やポンプ台数等の情報を示す、管路・施設データｄ２、対象流域における降雨の状況を示す降雨データｄ３を入力データとして利用する。そして、地表面における流出現象や管路内における流下現象等を表現した各種モデルにより演算を行い、その結果、各地点における流出量、流入量、管路内の水位、溢水量、浸水発生状況等のシミュレーションを行い、シミュレーション結果ｒ１を得ることができる。
【００３３】
このようなシミュレーションを行う際には、降雨データとして、過去の実際の降雨イベントのデータを利用することが多い。しかし、雨の降り方は各降雨イベントでそれぞれ異なることから、例えば、ある地区における浸水がどのような状況で発生し易いのかといったことを調べるためには、それは雨量によるものなのか、降雨時間によるものなのか等、といった要因を特定することは難しかった。
【００３４】
そこで、降雨の特徴をこのような統一した指標で表現した模擬降雨データｄ３を利用することができれば、例えば、降雨量が同じでも、雨域の標準偏差を変える、すなわち局所性を高めたり、広い範囲の降雨にするかによって、浸水状況が変化するかといったシミュレーションを行ったり、また降雨量や雨域の広がりの状況が同じでも、始点メッシュと終点メッシュを変えて、降雨の移動方法を変えることにより、雨水ポンプ場への流入状況が変化するか、等といったシミュレーションの結果ｒ１を得ることができる。そして、降雨の特徴量を考慮したシミュレーション結果を参考に、地理的、土木的に弱い箇所を特定し、管路や施設の設置方針の検討に役立てたり、また実際の降雨において、このような特徴量を勘案した浸水発生箇所の推定等に役立てることができるものと考えられる。
【００３５】
以上のように、本模擬降雨データ生成装置における、特徴量の設定とその特徴量を利用した模擬降雨データの作成手順について説明したが、これらはその一例を示すものであり、その内容を逸脱しない範囲で、適宜変更等を行っても構わない。
【００３６】
例えば、時間総降雨量算出部１３は、図３に示すように、降雨強度の時間変化を、降雨開始時刻から降雨ピーク時刻まで降雨量が時刻に比例して増加し、降雨ピーク時刻から降雨終了時刻まで降雨量が時刻に比例して減少するようなものとしている。しかし、特徴量として、降雨ピークが継続する時間を追加して、降雨ピークが該時間継続するように降雨強度が台形状に変化するようにしてもよい。あるいは、特徴量として複数の降雨ピーク時刻と、それらの時刻の降雨強度とを追加して、降雨ピーク時間が一降雨イベント内に複数あったりするような模擬降雨イベントを作成するようにしてもよい。また、このような降雨強度の時間変化を複数重ね合わせて合成した模擬降雨データを行うことも可能である。
【００３７】
なお、上述の実施形態では、模擬降雨データを作成する領域を、Ｘ方向とＹ方向各々のメッシュの数で表しているが、これに限定されない。例えば、Ｘ座標毎に、Ｙ座標の範囲を示す情報を用いて表してもよいし、Ｙ座標毎に、Ｘ座標の範囲を示す情報を用いて表してもよい。
また、上述の実施形態では、各時間ステップにおける雨域の中心を、始点メッシュｍｓと終点メッシュｍｅを結ぶ線分を、時間ステップ数ｌで等分した点としたが、該等分した点を含むメッシュにしてもよい。
【００３８】
また、上述の実施形態では、メッシュ雨量算出部１５は、降雨量［ｍｍ］を、模擬降雨量としているが、時間間隔Ｔｉｎｔで割るなどして、単位時間当たりの降雨量（降雨強度）を模擬降雨量としてもよい。
また、上述の実施形態では、総降雨量Ｒを、メッシュ各々における模擬降雨イベントを通した降雨量［ｍｍ］の、全てのメッシュに関する平均値であるとして説明したが、全てのメッシュに関する合計値であってもよい。
また、上述の実施形態において、降雨状況の特徴量として上述したものの一部を、予め決められた値とするなどして、情報取得部１１が取得しないようにしてもよい。
【００３９】
以上述べた少なくともひとつの実施形態の模擬降雨データ生成装置によれば、降雨状況の特徴量を取得する情報取得部と、前記取得部が取得した情報を用いて、複数地点における降雨量の時間経過を示す値を算出する降雨量算出部を持つことにより、都市流出解析や都市浸水解析等に必要な模擬降雨データを作成することができる。したがって、浸水など、降雨によって発生する事象が、どのような状況で発生し易いのかを調査したり、地理的、土木的に弱い箇所を特定することに役立てたりすることができる。
【００４０】
また、図１における模擬降雨データ生成装置１０の機能を実現するためのプログラムをコンピュータ読み取り可能な記録媒体に記録して、この記録媒体に記録されたプログラムをコンピュータシステムに読み込ませ、実行することにより模擬降雨データ生成装置１０を実現してもよい。なお、ここでいう「コンピュータシステム」とは、ＯＳや周辺機器等のハードウェアを含むものとする。
【００４１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４３】
［実施態様１］
実施態様１は、降雨状況の特徴量を取得する情報取得部と、前記情報取得部が取得した情報を用いて、複数地点における降雨量の時間経過を示す値を算出する降雨量算出部とを具備する模擬降雨データ生成装置である。
【００４４】
［実施態様２］
実施態様２は、実施態様１の模擬降雨データ生成装置であって、前記降雨状況の特徴量として、前記複数地点全体の降雨量を表す時間総降雨量の時間経過を表す情報、降雨の移動方向を表す情報、降雨域の広がりを表す情報のうち、少なくとも１つを含む模擬降雨データ生成装置である。
【００４５】
［実施態様３］
実施態様３は、実施態様２の模擬降雨データ生成装置であって、前記時間総降雨量の時間経過を表す情報は、降雨が継続する時間を示す降雨継続時間Ｔ、該降雨継続時間の降雨量の総量である総降雨量、該降雨継続時間のうち、時間総降雨量が最大となる時刻である降雨量ピーク時刻を含む。
【００４６】
［実施態様４］
実施態様４は、実施態様２の模擬降雨データ生成装置であって、前記降雨の移動方向を表す情報は、降雨開始時の降雨域の中心を表す座標と、降雨終了時の降雨域の中心を表す座標とを含む。
【００４７】
［実施態様５］
実施態様５は、実施態様２の模擬降雨データ生成装置であって、降雨域の広がりを表す情報は、第１の方向の広がりを表す情報と、第２の方向の広がりを表す情報と、第１の方向と第２の方向との相関を表す情報とを含む。
【符号の説明】
【００４８】
１０…模擬降雨データ生成装置
１１…情報取得部
１２…ステップ数算出部
１３…時間総降雨量算出部
１４…時間密度分布算出部
１５…メッシュ降雨量算出部
１６…降雨量算出部
【図１】
2014235121.tif 000005
【図２】
2014235121.tif 000006
【図３】
2014235121.tif 000007
【図４】
2014235121.tif 000008
【図５】
2014235121.tif 000009
【図６】
2014235121.tif 000010
【図７】
2014235121.tif 000011
【図８】
2014235121.tif 000012